(57)【要約】      （修正有）【課題】磁気効果と遠赤外線効果の二重の効果を有し、かつ外観の多様性を有する磁気絆創膏を提供する。【解決手段】通気性テープと、デザインプリント層２と、少なくとも１以上の磁性部材とを含んでなり、通気性テープは第１シート体１１と、第１シート体上に限定して形成される少なくとも１以上の粘着部と、第１シート体が粘着部を介して粘着する第２シート体１３と、を含み、デザインプリント層は、第１シート体の粘着部を形成する側とは反対の側に設けられ、かつ第１シート体上に設ける水性粘着剤層２１と、及び水性粘着剤層内に分布する複数の鉱石粉末層２２とを含み、磁性部材は、粘着部を介して第１シート体に接続する。【選択図】図１
0003219017.tif 000002
【実用新案登録請求の範囲】
【請求項１】
第１シート体と、該第１シート体上に限定して形成される少なくとも１以上の粘着部と、該第１シート体が該粘着部を介して粘着する第２シート体と、を含む通気性テープと、
該第１シート体の該粘着部を形成する側とは反対の側に設けられ、かつ該第１シート体上に設ける水性粘着剤層と、及び該水性粘着剤層内に分布する複数の鉱石粉末層とを含むデザインプリント層と、
該粘着部を介して該第１シート体に接続する少なくとも１以上の磁性部材と、を含んでなることを特徴とする磁気絆創膏。
【請求項２】
前記第２シート体に孔部が形成され、該磁性部材が該孔部を通過して該第１シート体に接続することを特徴とする請求項１に記載の磁気絆創膏。
【請求項３】
前記第１シート体に少なくとも１以上の第１切り込み部を形成し、該第２シート体に少なくとも１以上の第２切り込み部を形成し、かつ該第２シート体が少なくとも１以上の表記部を具えることを特徴とする請求項１に記載の磁気絆創膏。
【請求項４】
前記鉱石粉末層が、遠赤外線放出効果を有する鉱石の粉末か、もしくはマイナスイオン発生効果を有する鉱石の粉末であることを特徴とする請求項１に記載の磁気絆創膏。
【考案の詳細な説明】
【技術分野】
【０００１】
この考案は、絆創膏に磁石を粘着させてなり、通常磁気絆、もしくは磁気バンとも表記される磁気絆創膏に関し、特に、磁気の効果以外に遠赤外線などの効果と合わせ二重の効果が得られ、かつ多様性のある外観を具える磁気絆創膏に関する。
【背景技術】
【０００２】
現代のサラリーマンは、そのほとんどが長時間コンピュータの前に腰掛けている。このため、肩や首筋の凝り、痛みの問題は、すでにサラリーマンの一般的な問題となっている。また、姿勢が悪かったり、もしくはスポーツ障害の影響で身体各部の凝りや痛みが発生したりするという状況もある。現代人にこれら凝りや痛みが出現した場合は、症状緩和の効果を有する絆創膏などの粘着テープを貼着して凝りや痛みなどの症状を緩和している。
【０００３】
然しながら、これら凝りや痛みを鎮める効果を有する粘着テープは。そのほとんどが単一の効果しかない。あるものは遠赤外線の波動放出効果を有する粘着テープであって、あるものは磁石によって磁力を放出する粘着テープである。但し、如何なる効果を有する粘着テープであろうと、同時に複数の効果がまとめて得られるように製造しようとすれば、面倒なことであって、しかも、これら粘着テープのデザインは、ほぼ統一されており、特別な図案、または様式のものはなく、消費者の購買欲を高めることがない。しかも、その外観の多様性も限られたものになっている。
【考案の概要】
【考案が解決しようとする課題】
【０００４】
この考案は、二重の効果を有し、かつ外観の多様性を有する磁気絆創膏を提供することを課題とする。
【課題を解決するための手段】
【０００５】
そこで、本考案者は上述する従来の絆創膏などの粘着テープの欠点に鑑み、関連する資料を集め、各方面から評価と思考を加え、かつ斯業に長年従事した経験を以って絶え間ない試作と修正を行ない、終にこの考案を完成させた。即ち、鉱石の粉末層と磁性部材とを用いることによって二重の効果を得るとともに、デザインプリント層の外観を変化させて多様性を持たせた。
【０００６】
この考案による磁気絆創膏は、通気性テープと、デザインプリント層と、少なくとも１以上の磁性部材とを含んでなり、該通気性テープは第１シート体と、該第１シート体上に限定して形成される少なくとも１以上の粘着部と、該第１シート体が該粘着部を介して粘着する第２シート体と、を含み、該デザインプリント層は、該第１シート体の該粘着部を形成する側とは反対の側に設けられ、かつ該第１シート体上に設ける水性粘着剤層と、及び該水性粘着剤層内に分布する複数の鉱石粉末層とを含み、該磁性部材は、該粘着部を介して該第１シート体に接続する。
【０００７】
上述する構造によれば、ユーザーは第１シート体を第２シート体から剥がし、粘着部を利用して第１シート体を人体に貼着することができ、貼着した後は、水性粘着剤層内に位置する鉱石粉末層から波動（例えば遠赤外線、又はマイナスイオン）が放射され、磁性部材から磁性が放出され、人体に対してプラスの影響や効果を与える。また、デザインプリント層には様々な図案を印刷する。よって、剥がして人体に貼着する動作を素早く行なうことができて便利であり、同時に二重の効果が得られ、外観に多様性を持たせることができる。
【０００８】
上述するように、この考案の技術によれば、従来の技術に見られるように、同時に複数の効果がまとめて得られるように製造しようとすれば、面倒であるという問題と、外観に多様性がないという問題とを解決するものであって、係る特徴を具えることで実用性と進歩性が得られる。
【図面の簡単な説明】
【０００９】
【図１】この考案による磁気絆創膏の外観を示した斜視図である。
【図２】図１に開示する磁気絆創膏を分解した状態を示した説明図である。
【図３】この考案による磁気絆創膏の断面構造を示した説明図である。
【図４】この考案による磁気絆創膏の使用態様を示した説明図である。
【図５】他の実施の形態による磁気絆創膏を分解した状態を示した説明図である。
【図６】図５に開示する磁気絆創膏の外観を示した斜視図である。
【図７】図５に開示する磁気絆創膏の使用態様を示した説明図である。
【図８】図５に開示する磁気絆創膏を他の角度から見た斜視図である。
【図９】図５に開示する磁気絆創膏を剥がす動作を示した説明図である。
【考案を実施するための形態】
【実施例１】
【００１０】
図１は、この考案による磁気絆創膏の斜視図であって、図２、３は、その積層構造を示した説明図である。図面に開示するように、この考案による磁気絆創膏は、通気性テープ１と、複数の第１シート体１１と、複数の粘着部１２と、第２シート体１３と、デザインプリント層２と、水性接着剤層２１と、複数の鉱石粉末層２２と、複数の磁性部材３と、を含んでなる。通気性テープ１は、複数の第１シート体１１を含み、粘着部１２は第１シート体１１上に限定して形成する。第１シート体１１は通気性を有する粘着テープであって、粘着部１２は医療法認定の粘着剤である。第２シート体１３は剥離紙であって、デザインプリント層２は第1シート体１１上にプリントしてなり、かつデザインプリント層２は、第１シート体１１上にプリントする水性粘着剤層２１と、及び水性粘着剤層２１内に分布する複数の鉱石粉末層２２とを含み、それぞれの磁性部材３は、粘着部１２を介して第１シート体１１上に接続する。
【００１１】
この考案の技術による構造は、上述の説明から明らかに理解できるが、係る構造に対応させて配置することで、デザインプリント層２と磁性部材３との組み合わせを利用して第１シート体１１に二重の効果を持たせることができ、かつデザインプリント層２に各種図案を印刷して外観に多様性を持たせることができる。詳しくは、以下に説明する。
【００１２】
図１は、この考案による磁気絆創膏の好ましい実施の形態の斜視図であって、図２は、その分解図、図３は、その積層構造を示した説明図、図４は、その使用態様を示した説明図である。図面の開示から明らかなように、上述するそれぞれの部材を組み立てる場合、デザインプリント層２は水性粘着剤層２１を含む。係るプリント方式によって第１シート体１１上に設けることができ、ユーザーは使用時に第１シート体１１を第２シート体１２から剥離させることができ、さらに粘着部１２によって人体に粘着させることができる。
【００１３】
デザインプリント層２内の鉱石粉末層２２は、遠赤外線放出効果を有する鉱石の粉末か、もしくはマイナスイオン放出効果を有する鉱石の粉末であるが、但し、これらに限定しない。係る構成によれば、鉱石粉末層２２が人体に有益な波動を発生させる。磁性部材３は磁性を発生させる磁石であって、鉱石粉末層２２と組み合わせることで、人体に二重の効果をもたらす。即ち、遠赤外線は人体の皮下組織に浸透し、共振効果を発生させて血管を拡張し、血液の循環を促進する。磁石は人体のプラス、マイナス電流の平衡を保ち、血液循環の促進及び疲労回復の効果を達成する。
【００１４】
また、デザインプリント層２は、好ましい外観の各種異なる図案を印刷することで、多様性を具えた外観を呈することができ、消費者の購買意欲を高めることができる。
【実施例２】
【００１５】
図５から図９に、この考案の第２の実施の形態の分解図から使用態様を示した説明図までを開示する。図面の開示から明なように、第２の実施の形態は、上述する実施例１の構造とほぼ同様であるが、第２シート体１３ａに複数の孔部１３１ａを形成し、磁性部材３ａが孔部１３１を通過して設けられるようにするとともに、第１シート体１１ａに複数の第１切り込み部１１１ａを形成し、第２シート体１３ａには複数の第２切り込み部１３２ａと、少なくとも１以上の図案部１３３ａを形成する点において異なる。
【００１６】
上述する構造によれば、ユーザーが磁性部材３ａを取り付ける場合、孔部１３１ａから直接取り付けることができ、取り付ける場合の効率を高めることができる。第１シート体１１aは、コーナー部に第１切り込み部１１１ａが形成してあり、第１切り込み部１１１ａの位置において分かれているため、ユーザーの関節部への貼着に適している。第１シート体１１ａを剥がす場合、先に第２切り込み部１３２ａの位置から第２シート体１３ａを剥がすと、第１シート体１１ａが第２シート体１３ａから容易に剥がれる。よって、第１シート体１１ａを剥がす動作が容易になり、素早く行なうことができる。また、表記部１３３ａは、ユーザーのニーズに応じて必要とする文字を印刷し、その機能性を高める。
【００１７】
以上から明らかなように、この考案による磁気絆創膏は、従来の技術に見られる欠点を改善するものであって、その技術上のキーポイントは、プリント方式を以ってデザインプリント層２を第１シート体１１上に形成し、かつ磁性部材３と組み合わせることによって二重の効果を得ることにあり、またデザインプリント層２には異なるデザインを施すことによって、通気性テープ１の外観に多様性を持たせる。
【符号の説明】
【００１８】
１        通気性テープ
１１      第１シート体
１１ａ    第１シート体
１１１ａ  第１切り込み部
１２      粘着部
１３      第２シート体
１３ａ    第２シート体
１３１ａ  孔部
１３２ａ  第２切り込み部
２        デザインプリント層
２１      水性接着剤層
２２      鉱石粉末層
３        磁性部材
３ａ      磁性部材
【図１】
0003219017.tif 000003
【図２】
0003219017.tif 000004
【図３】
0003219017.tif 000005
【図４】
0003219017.tif 000006
【図５】
0003219017.tif 000007
【図６】
0003219017.tif 000008
【図７】
0003219017.tif 000009
【図８】
0003219017.tif 000010
【図９】
0003219017.tif 000011